(57)【要約】【課題】プルスイッチの引き紐を引いた場合でも、器具本体の歪みを低減できる照明器具を提供する。【解決手段】蛍光ランプ３ｉ〜３ｏ、その点灯装置５およびプルスイッチ４を配設した器具本体２と；器具本体２の中央部に形成された取付面取付用の取付部１１および環状の中央ビード２ｃ、この中央ビード２ｃから放射状に形成された複数の放射状ビード２ｇ〜２ｊと；プルスイッチに近接する放射状ビード２ｉにほぼ平行かつこの放射状ビード２ｉおよび中央ビード２ｃに離間して器具本体２に形成された補強ビード９と；を具備している。【選択図】  図１
2011134640.tif 000002
【特許請求の範囲】
【請求項１】
放電灯、その点灯装置およびプルスイッチを配設した器具本体と；
器具本体の中央部に形成された取付面取付用の取付部および環状の中央ビード、この中央ビードから放射状に形成された複数の放射状ビードと；
プルスイッチに近接する放射状ビードにほぼ平行かつこの放射状ビードおよび中央ビードに離間して器具本体に形成された補強ビードと；
を具備していることを特徴とする照明器具。
【請求項２】
器具本体は、補強ビードの長手方向ほぼ延長線上に、プルスイッチの引き紐の引き操作時の引っ張り荷重が負荷される荷重負荷部を設けていることを特徴とする請求項１記載の照明器具。
【請求項３】
器具本体は、取付部に、取付面に配設された一対の係止具を挿入させて係止させて固定する一対の係止孔を形成すると共に、これら一対の係止孔を、引っ張り荷重負荷部の延長線上から外れた位置に形成していることを特徴とする請求項２記載の照明器具。
【発明の詳細な説明】
【技術分野】
【０００１】
本発明は円環形蛍光ランプ等の放電灯を具備した照明器具に関する。
【背景技術】
【０００２】
従来この種の照明器具の一例としては、特許文献１に記載されたものがある。これは天井面に取り付けられる器具本体に、光源、その制御部および光源を覆うためのカバーを配設している。
【先行技術文献】
【特許文献】
【０００３】
【特許文献１】特開２００７−１０９４３６号公報
【発明の概要】
【発明が解決しようとする課題】
【０００４】
しかしながら、この特許文献１記載の照明器具のように、天井にシャーシ本体である器具本体を直接取り付ける天井直付けの照明器具では、器具本体における天井への取付部に照明器具全体の荷重が集中し、その応力により器具本体に、その外周部側が内周部（中心部）よりも下方斜めに傾斜する等の歪みが発生する。
【０００５】
そこで、従来から、器具本体に、その中心部から放射状に延在する複数のビードを設けて器具本体の強度の向上を図っている。
【０００６】
しかし、コスト低減や軽量化等を図るために器具本体の薄肉化が進行したために、器具本体に設けたプルスイッチの引き紐を引っ張ったときに、その引張り荷重が器具本体に負荷され、器具本体に歪みが発生したり、天井取付用の取付孔に応力が集中して変形や破損が発生するという課題がある。
【０００７】
本発明は、このような事情を考慮してなされたもので、プルスイッチの引き紐を引いた場合でも、器具本体の歪みを低減できる照明器具を提供することを目的とする。
【課題を解決するための手段】
【０００８】
請求項１に係る照明器具は、放電灯、その点灯装置およびプルスイッチを配設した器具本体と；器具本体の中央部に形成された取付面取付用の取付部および環状の中央ビード、この中央ビードから放射状に形成された複数の放射状ビードと；プルスイッチに近接する放射状ビードにほぼ平行かつこの放射状ビードおよび中央ビードに離間して器具本体に形成された補強ビードと；を具備していることを特徴とする。
【０００９】
ここで、放電灯は、例えば円環形等の蛍光ランプであり、単数でも複数本であってもよい。点灯装置は複数本の放電灯を同時に点灯可能に構成されている。器具本体は、例えばその中央ビードの内側に、天井等の取付面に取り付けられる取付部を形成しており、この中央ビードや放射状ビード、補強ビードは、器具本体の内面側に突出し、または凹むようにプレス等により一体に折曲形成される凸状または凹状のビードであり、そのビード横断面形状は、コ字状や円弧状、Ｖ字状等いずれでもよく、ビードの高さや深さにも限定されない。
【００１０】
補強ビードは、その中心を長手方向に通る補強リブ軸線が、プルスイッチの配設箇所に近接する放射状ビードの中心を通る放射状ビード軸線に対して、ほぼ平行であって、この近接する放射状ビードと中央ビードとは連結されずに離間して形成される。
【００１１】
プルスイッチは引き紐を有し、この引き紐の引き下ろし操作により、放電灯や常夜灯の点灯等を制御することができる。
【００１２】
請求項２に係る照明器具は、器具本体は、補強ビードの長手方向ほぼ延長線上に、プルスイッチの引き紐の引き操作時の引っ張り荷重が負荷される荷重負荷部を設けていることを特徴とする。
【００１３】
ここで、プルスイッチ引き紐の引き操作時の引っ張り荷重が負荷される荷重負荷部は、補強ビード軸線のほぼ延長線上にあればよく、プルスイッチからの遠近等の距離には限定されない。例えば、この引き紐を所要の支持手段により器具本体の外方へ突出させた場合には、その支持手段の一端を器具本体に固定する固定箇所が荷重負荷部となるので、固定箇所が補強ビード軸線のほぼ延長線上にあればよい。
【００１４】
請求項３に係る照明器具は、器具本体は、取付部に、取付面に配設された一対の係止具を挿入させて係止させて固定する一対の係止孔を形成すると共に、これら一対の係止孔を、引っ張り荷重負荷部の延長線上から外れた位置に形成していることを特徴とする。
【００１５】
ここで、器具本体の取付面とは、例えば照明空間の天井面であり、一対の係止具とは、例えば天井面にねじ込み固定された左右一対の取付ボルトであり、一対の係止孔とは、取付ボルトの頭部を挿入し得る大径部と、この大径部よりも小径で取付ボルトの軸部を挿入し得る円弧状の小径部とを一体に連成してなるだるま孔等の長孔である。
【００１６】
このために、一対の取付ボルトの頭部を一対の係止孔の大径部内に挿入した後、器具本体をその中心軸回りに所要角回動させることにより、各取付ボルトの頭部を各係止孔の円弧状小径部に移動させることにより、取付ボルトを係止孔に係止させ、器具本体を天井面に取り付けることができる。
【００１７】
補強ビードの中心軸線は、一対の係止孔同士が対向する対向方向に対して直交する垂直軸に対して所要角傾斜している。すなわち、一対の係止孔同士の対向方向のほぼ延長線上に補強ビード中心軸があると、プルスイッチ引き紐の引き下ろし操作時の引っ張り荷重の応力が一対の係止具を係止する係止孔に集中し、歪みや変形を発生させる。このために、一対の係止孔同士の対向方向に対する垂直軸に対して補強ビードの中心軸を所要角度傾斜するように補強ビードを形成することにより、係止孔周辺部の歪みや変形を防止または低減できる。
【発明の効果】
【００１８】
請求項１に係る発明によれば、天井面等の取付面に、器具本体の中央部の取付部を取り付けた状態でプルスイッチの引き紐を引き下ろす操作をすると、引っ張り荷重が器具本体に負荷される。このために、器具本体の引っ張り荷重が負荷される側には、取付部を支点とする曲げ応力が発生する。
【００１９】
しかし、この曲げ応力は、その発生方向に直交する方向である器具本体の半径方向に延在し、プルスイッチの近傍にある放射状ビードと補強ビードの両者により２重に低減される。すなわち、プルスイッチの引き紐の引き下ろし操作時に器具本体に発生する曲げ応力を低減できる。
【００２０】
また、補強ビードは、中央ビードおよび放射状ビードと連結されずに離れて形成されているので、これらビード同士が連結した場合に、ビードによる薄肉部が連続して形成されることによる器具本体の強度の低下を防止することができる。
【００２１】
請求項２に係る発明によれば、補強ビードは、その近傍の放射状ビードにほぼ平行に並設されているので、この放射状ビードと同様に、器具本体の半径方向の強度を向上させることができる。このために、この補強ビードの延長線上に、引き紐の荷重負荷部を形成することにより、この引き紐の引っ張り荷重により、取付部を支点として器具本体に発生する曲げ応力を低減できる。
【００２２】
請求項３に係る発明によれば、一対の係止孔を、プルスイッチの引っ張り荷重負荷部の延長線上から外れた位置に形成しているので、この引っ張り荷重により器具本体に発生した曲げ応力が係止孔に集中して、変形や歪みが発生することを低減することができる。
【図面の簡単な説明】
【００２３】
【図１】本発明の一実施形態に係る照明器具のセードを取り外した状態の正面図。
【図２】図１のＩＩ−ＩＩ線断面図。
【図３】図１で示す照明器具のセードを取り外した状態の分解斜視図。
【図４】図３で示す照明器具の側面図。
【発明を実施するための形態】
【００２４】
以下、本発明の実施形態を図面に基づいて説明する。なお、複数の図面中、同一または相当部分には同一符号を付している。
【００２５】
図１は本発明の一実施形態に係る照明器具のセードを取り外した状態の正面図、図２は図１のＩＩ−ＩＩ線断面図、図３は同，分解斜視図、図４は図３の側面図である。これらの図１〜図４に示すように照明器具１は、図２で示す天井等に直接取り付けられる金属製の器具本体２、器具本体２の内面２ａ側に放電灯の一例として配設される、環径が異なる例えば大中小３本の円環形等の環形蛍光ランプ３ｉ，３ｎ，３ｏ、プルスイッチ４、点灯装置５、ベビー球やＬＥＤ（発光ダイオード）等からなる常夜灯６、Ｖ字状の紐支持金具７およびセード８を具備している。
【００２６】
器具本体２は、外形が薄形円盤状に形成される一方、中央部には、円形貫通孔の中心孔２ｂを中心Ｏと同心円状に形成し、内面２ａのほぼ全面に、例えば高反射塗料粉体焼付や白色塗装等により反射面を形成している。この内面２ａには、その中心孔２ｂの外周縁部において、その内側（図２〜図４では下側）へ同心円状に突出する環状の中央ビード２ｃ、内面２ａの外周縁部にて器具本体２の外面２ｄ（図２では上面）側へ台形状に凹む平面形状が環状の環状凹ビード２ｅ、この環状凹ビード２ｅの内周側にて内面２ａ側へ台形状に突出する平面形状が環状の環状凸ビード２ｆをそれぞれ同心状に形成して器具本体２の強度の向上を図っている。また、器具本体２の内面２ａには、凸状の中央ビード２ｃから遠心方向外方へ放射状に延在する複数の放射状ビード２ｇ，２ｈ，２ｉ，２ｊがほぼ十字状に配設されている。これら放射状ビード２ｇ〜２ｉは、器具本体２の外面２ｄ側へ台形状に凹む凹ビードからなり、これら放射状ビード２ｇ〜２ｊの長手方向内端部は環状の中央ビード２ｃの外周側に一体に連結されている。また、３つの放射状ビード２ｇ，２ｈ，２ｉの外端部は環状凸ビード２ｆの内周側に一体に連結される。残りの放射状ビード２ｊの長手方向外端部は環状凸ビード２ｆの手前で終端し、環状凸ビード２ｆには連結されていない。
【００２７】
そして、器具本体２は、その内面２ａに、図１中下部の放射状ビード２ｉを、器具本体２の中心Ｏから垂直方向下方へ垂下させた垂直線に対して若干、図１中右側へ傾斜させると共に、この下部放射状ビード２ｉの図１中両側にて、所要間隔置いて第１，第２の補強ビード９，１０を形成している。
【００２８】
これら第１，第２の補強ビード９，１０は、下部放射状ビード２ｉとほぼ等しい幅の帯状凹状ビードにより、下部放射状ビード２ｉよりも短く形成され、下部放射状ビード２ｉとほぼ平行に並設されている。これら第１，第２補強ビード９，１０は、その長手方向（軸方向）両端を、中央ビード２ｃと環状凸ビード２ｆとからそれぞれ離間させており、これらビード２ｃ，２ｆには連結されていない。これら凹状または凸状のビード２ｃ〜２ｊ，９，１０は、例えばプレス加工によりほぼ同時に形成される。
【００２９】
器具本体２は、その内面２ａ上に、図１中左の放射状ビード２ｊ上にて点灯装置５を取り付けている。また、図１，図２に示すように器具本体２は、その中央ビード２ｃの内周側と中心孔２ｂとの間にて環状平板よりなる取付部１１を一体に形成している。取付部１１は、器具本体２の図１中左右方向、すなわち、Ｖ字状の紐支持金具７が固定される器具本体２の上下方向に対して直交する方向で対称的に対向するように一対の係止孔１２，１３を形成している。
【００３０】
これら一対の係止孔１２，１３は、いわゆるだるま状の長孔であり、ほぼ円形の大径部１２ａ，１３ａに、この大径部１２ａ，１３ａよりも小径で円弧状の細径長孔部１２ｂ，１３ｂを一体に連成することにより形成されている。
【００３１】
これら係止孔１２，１３の大径部１２ａ，１３ａは、図２で示すように取付面の一例である天井面１４にねじ込み固定された図中左右一対の取付ボルト１５，１６の各頭部１５ａ，１６ａを挿通させる大きさに形成されており、細径長孔部１２ｂ，１３ｂの幅は、その取付ボルト１５，１６の頭部１５ａ，１６ａよりも小径の軸部１５ｂ，１６ｂが垂直方向に挿通し得る大きさに形成されている。
【００３２】
したがって、天井面１４に器具本体２を取り付ける場合は、まず天井面１４にねじ込み固定された一対の取付ボルト１５，１６の各頭部１５ａ，１６ａを、各係止孔１２，１３の大径部１２ａ，１３ａ内に挿入させるように器具本体２を天井面１４側へ押し当てる。
【００３３】
この後、器具本体２をその中心Ｏ軸回りに回動させ、各取付ボルト１５，１６の軸部１５ｂ，１６ｂを各係止孔１２，１３の細径長孔部１２ｂ，１３ｂの終端部に移動させる。これにより、各取付ボルト１５，１６の頭部１５ａ，１６ａが各係止孔１２，１３の細径長孔部１２ｂ，１３ｂに係止されるので、器具本体２全体が各取付ボルト１５，１６により支持される。
【００３４】
そして、図１に示すように常夜灯６は器具本体２の内面２ｂ上に、中央リブ２ｃの近傍にて固定される。常夜灯６は例えば小球のベビー球、またはＬＥＤ（発光ダイオード）を具備している。
【００３５】
小径の環形蛍光ランプ３ｉは、器具本体２の内面２ａの内周側に配設され、その外周側に中径の環形蛍光ランプ３ｎが配設され、さらに、その外周側に大径の環形蛍光ランプ３ｏが最外側の環形蛍光ランプとして同心円状に配設される。これら環形蛍光ランプ３ｉ〜３ｏは、例えば管外径が約１６ｍｍの環形のガラスバルブをそれぞれ有し、ガラスバルブ内には希ガスと水銀を有する放電媒体が封入される。このガラスバルブの内面には、蛍光体膜が形成され、ガラスバルブの両端には電極が形成されている。ガラスバルブの両端部には、これら両端部を跨って口金３ａが配設され、口金３ａには、電極に電気的に接続された複数の口金ピン３ｂが器具本体２の中央部側に向けて配設される。各口金３ａは点灯装置５の電気出力側に接続される図示しないランプソケットに着脱可能に装着されて受電する。点灯装置５はこれら環形蛍光ランプ３ｉ〜３ｏと常夜灯６の点灯を制御する。
【００３６】
各環形蛍光ランプ３ｉ〜３ｏは各ランプホルダ１７のＣ字状保持部内に、そのＣ字状開口から着脱可能に挿入されて保持される。各ランプホルダ１７は器具本体２の内面２ａに固着されている。
【００３７】
図１，図２に示すように、器具本体２は、その図２中開口下端部に、セード８を着脱可能に取り付ける取付周縁部２ｋを形成している。セード８は透光性と拡散性を有する、例えば乳白色の合成樹脂により、図３，図４中、下方へ大きな円弧面でなだらかに突出する薄型ドーム形状に形成されている。セード８の図３，図４中の開口上端部８ａは、器具本体２の取付周縁部２ｋに着脱可能に嵌合される。
【００３８】
そして、器具本体２は、その内面２ａの第１補強ビード９の長手方向外端部上にてプルスイッチ４を配設している。プルスイッチ４は引き紐４ａを有し、この引き紐４ａが引き下ろされる毎に、蛍光ランプ３ｉ〜３ｏと常夜灯６をオンオフ制御するオンオフ制御信号を順次出力し、点灯装置５に与える。点灯装置５は、その電気入力側を図示しない電源コードに接続しており、プルスイッチ４からのオンオフ制御信号を受けて各蛍光ランプ３ｉ〜３ｏと常夜灯の点灯，消灯を制御する。
【００３９】
図１に示すようにＶ字状の紐支持金具７は、所要径の針金をＶ字状に形成してなり、そのＶ字状の２股基端部７ａを、第１の補強ビード９の長手方向（軸方向）ほぼ延長線上の器具本体内面２ａの外周部７ｂに固定している。
【００４０】
紐支持金具７は、そのＶ字状頂端部を器具本体２の遠心方向外方へ所定距離突出させ、その突出先端部に紐挿通用の紐リング７ｃを固着している。
【００４１】
プルスイッチ４の引き紐４ａは紐ガイド４ｂによりガイドされて紐支持金具７のＶ字状中心部を長手方向に通って紐リング７ｃに挿通し、図３に示すように器具本体２の下方へ垂下される。
【００４２】
このために、この引き紐４ａが下方へ引かれたときの引っ張り荷重は、紐支持金具７の２股基端部７ａが器具本体２の外周部に固定される固定部７ｂに負荷されるので、この固定部７ｂが引っ張り荷重負荷部となる。
【００４３】
したがって、この照明器具１によれば、天井面１４に、器具本体２の中央部にある取付部１１を取り付けた状態で、プルスイッチ４の引き紐４ａを引き下ろす操作をすると、引っ張り荷重が器具本体２における紐支持金具７の固定部７ｂに負荷される。このために、器具本体２の引っ張り荷重が負荷される側には、取付部１１を支点とする曲げ応力が発生する。
【００４４】
しかし、この曲げ応力は、その発生方向に直交する方向である器具本体の半径方向に延在し、プルスイッチ４の近傍にある放射状ビード２ｉと第１補強ビード９の両者と第２補強ビード１０とにより２重，３重に低減される。すなわち、プルスイッチ４の引き紐４ａの引き下ろし操作時に器具本体２に発生する曲げ応力を低減できる。
【００４５】
また、第１，第２補強ビード９，１０は、中央ビード２ｃおよび放射状ビード２ｇ〜２ｊと連結されずに離れて形成されているので、これらビードの連結形成による薄肉部が連続して形成される場合の器具本体２の強度の低下を防止することができる。
【００４６】
また、この照明器具１によれば、第１補強ビード９は、その近傍の放射状ビード２ｉにほぼ平行に並設されているので、この放射状ビード２ｉと同様に、器具本体２の半径方向の強度を向上させることができる。このために、この第１補強ビード９の長手方向延長線上に、引き紐４ａの引っ張り荷重負荷部７ｂを形成することにより、この引き紐４ａの引っ張り荷重により、取付部１１を支点として器具本体２に発生する曲げ応力を低減できる。
【００４７】
さらに、この照明器具１によれば、一対の係止孔１２，１３を、プルスイッチ４の引っ張り荷重負荷部７ｂの延長線上から外れた位置に形成しているので、この引っ張り荷重により器具本体２に発生した曲げ応力が係止孔１２，１３に集中して、変形や歪みが発生することを低減することができる。
【符号の説明】
【００４８】
１…照明器具、２…器具本体、２ａ…器具本体の内面、２ｃ…中央ビード、２ｇ，２ｈ，２ｉ，２ｊ…放射状ビード、３ｉ，３ｎ，３ｏ…環形蛍光ランプ（放電灯）、４…プルスイッチ、４ａ…プルスイッチの紐、５…点灯装置、７…紐支持金具、７ｂ…荷重負荷部、９，１０…第１，第２補強リブ、１１…取付部、１２，１３…一対の係止孔、１４…天井面（取付面）、１５，１６…一対の取付ボルト（係止具）。
【図１】
2011134640.tif 000003
【図２】
2011134640.tif 000004
【図３】
2011134640.tif 000005
【図４】
2011134640.tif 000006